【手続補正書】
【提出日】令和2年3月25日(2020.3.25)
【手続補正１】
【補正対象書類名】特許請求の範囲
【補正対象項目名】全文
【補正方法】変更
【補正の内容】
【特許請求の範囲】
【請求項１】
アレイの２つ以上のノズル群を制御するためのコントローラであって、前記コントローラが、
データブロックをデータストリームにコード化するように構成されており、各データブロックが液滴期間に対してそれぞれのノズル群がどのように制御されるべきかを示し、
射出コードを前記データストリームにコード化するように構成されており、各射出コードが、前記液滴期間に対する前記データブロックに従ってそれぞれのノズル群がいつ制御されるべきかを示す予約コードであり、
前記データブロックが前記データストリームの前記それぞれのノズル群に対する前記射出コードに先行し、前記射出コードが前記データブロックとは独立に生成される、コントローラ。
【請求項２】
前記射出コードが前記それぞれの群に対する前記データブロックに直接的に続く、請求項１に記載のコントローラ。
【請求項３】
前記射出コードが前記それぞれの群に対する前記データブロックに間接的に続く、請求項１に記載のコントローラ。
【請求項４】
前記射出コードを、前記データストリームの２つの後続データブロックの間に、挿入するよう更に構成された、又は、前記射出コードを、前記データストリームの後続データブロックを中断するように挿入するよう構成された、請求項３に記載のコントローラ。
【請求項５】
媒体エンコーダからの入力を受信するよう更に構成され、
前記媒体エンコーダからの前記入力に応答して媒体信号を生成するように構成された媒体エンコーダ回路をさらに備え、
前記コントローラは、更に印刷データに対応して前記データストリームにおける前記データブロックをコード化し、前記媒体信号に対応して前記データストリームに前記射出コードを挿入する、ようにさらに構成されている、
請求項１〜４のいずれか一項に記載のコントローラ。
【請求項６】
前記それぞれの群に対する前記データブロックおよび射出コードが、各液滴期間に対して１：１マッピングでコード化される、請求項１〜５のいずれか一項に記載のコントローラ。
【請求項７】
各データブロックが、前記データブロックの開始および前記データブロックの終了のうち１つを示す制御記号を含む、請求項１〜６のいずれか一項に記載のコントローラ。
【請求項８】
アレイのノズルを制御するためのコントローラであって、前記コントローラが、
駆動パルスを前記ノズルに印加するように構成されたスイッチロジックと、
回路であって、
前記コントローラで受信された第一のデータストリームをデコードするように構成され、
前記第一のデータストリームで、それぞれのノズル群に対するデータブロックを特定し、それに応答して第二のデータストリームを生成するように構成され、前記第二のデータストリームが液滴期間に対して前記スイッチロジックを制御するための第一の駆動データ及び第二の駆動データを含み、
前記第一のデータストリームで、前記それぞれのノズル群が、前記データブロックに従っていつ制御されるかを示す予約コードを特定し、前記予約コードに応答して前記スイッチロジックを制御するための第一の射出信号及び第二の射出信号を生成するように構成され、
前記回路が、第一の液滴期間に対して、
前記第一の駆動データおよび前記第一の射出信号に応答して、前記第一のノズル群に対する前記スイッチロジックを制御し、
前記第二の駆動データおよび前記第二の射出信号に応答して、第二のノズル群に対する前記スイッチロジックを独立して制御するようにさらに構成されている回路と、を備えるコントローラ。
【請求項９】
請求項８に記載のコントローラであって、前記第二のデータストリームが更に第三の駆動データ及び第四の駆動データを含み、前記回路が第二の液滴期間に対して、
前記第一のデータストリームから第三の射出信号及び第四の射出信号を生成し、
前記第三の駆動データおよび前記第三の射出信号に応答して、前記第一のノズル群に対する前記スイッチロジックを制御し、
前記第四の駆動データおよび前記第四の射出信号に応答して、前記第二のノズル群に対する前記スイッチロジックを独立して制御するようにさらに構成されているコントローラ。
【請求項１０】
請求項８に記載のコントローラであって、前記回路が第二の液滴期間に対して、
前記第一のデータストリームから第三の射出信号及び第四の射出信号を生成し、
前記第一の駆動データおよび前記第三の射出信号に応答して、前記第一のノズル群に対する前記スイッチロジックを制御し、
前記第二の駆動データおよび前記第四の射出信号に応答して、前記第二のノズル群に対する前記スイッチロジックを独立して制御するようにさらに構成されているコントローラ。
【請求項１１】
前記駆動データを記憶し、前記駆動データを前記スイッチロジックに出力するよう構成された記憶回路をさらに備える、請求項８〜１０のいずれか一項に記載のコントローラ。
【請求項１２】
請求項１〜７のいずれか一項に記載の前記コントローラおよび／または請求項８〜１１のいずれか一項に記載の前記コントローラを備える液滴堆積装置。
【請求項１３】
請求項８〜１１のいずれか一項に記載の前記コントローラを持つ液滴堆積ヘッド。
【請求項１４】
アレイの２つ以上のノズル群を制御する方法であって、前記方法が、
第一のコントローラで、コード化されたデータブロックを含む第一のデータストリームを生成する工程であって、各コード化されたデータブロックが液滴期間に対してそれぞれのノズル群がどのように制御されるべきかを示す工程と、
前記第一のコントローラで、射出コードを前記第一のデータストリームにコード化する工程とを含み、各射出コードが、前記液滴期間に対する前記コード化されたデータブロックに従っていつそれぞれのノズル群が制御されるべきかを示す予約コードであり、前記コード化されたデータブロックが、前記データストリームの前記それぞれのノズル群に対する前記射出コードに先行する方法。
【請求項１５】
請求項１４に記載の方法であって、
第二のコントローラで、前記第一のデータストリームをデコードする工程と、
前記第二のコントローラで、第一の射出信号及び第二の射出信号および、前記第一のデータストリームに応答してそれぞれのノズル群に対する第一のデコードされた駆動データ及び第二のデコードされた駆動データを含む第二のデータストリームを生成する工程と、
前記第一のデコードされた駆動データおよび前記第一の射出信号に応答して、第一のノズル群に駆動パルスを印加するために、第一の液滴期間に対するスイッチロジックを制御する工程と、
前記第二のデコードされた駆動データおよび前記第二の射出信号に応答して、第二のノズル群に駆動パルスを印加するために、前記第一の液滴期間に対するスイッチロジックを独立して制御する工程とをさらに含む方法。
【請求項１６】
アレイの２つ以上のノズル群を制御する方法であって、前記方法が、
コントローラで、第一のデータストリームをデコードする工程と、
前記第一のデータストリームで、それぞれのノズル群に対するデータブロックを特定する工程と、
前記第一のデータストリームで、前記データブロックに従って、いつ前記それぞれのノズル群が制御されるべきかを示す予約コードを特定する工程と、
前記第一のデータストリームに応答して、第一の射出信号及び第二の射出信号および、それぞれのノズル群に対する第一の駆動データ及び第二の駆動データを含む第二のデータストリームを生成する工程と、
前記第一の駆動データおよび前記第一の射出信号に応答して、第一のノズル群に駆動パルスを印加するために、第一の液滴期間に対するスイッチロジックを制御する工程と、
前記第二の駆動データおよび前記第二の射出信号に応答して、第二のノズル群に駆動パルスを印加するために、前記第一の液滴期間に対するスイッチロジックを独立して制御する工程とを含む方法。
【請求項１７】
請求項１６に記載の方法であって、
前記第一のデータストリームに応答して、第三の射出信号及び第四の射出信号を生成し、前記第二のデータストリームは、第三の駆動データ及び第四の駆動データを含み、
前記第三の駆動データおよび前記第三の射出信号に応答して、駆動パルスを前記第一のノズル群に印加するために、第二の液滴期間に対するスイッチロジックを制御する工程と、
前記第四の駆動データおよび前記第四の射出信号に応答して、前記第二のノズル群に駆動パルスを印加するために、前記第二の液滴期間に対するスイッチロジックを独立して制御する工程とをさらに含む方法。
【請求項１８】
請求項１６に記載の方法であって、
前記第一のデータストリームに対応して、第三の射出信号及び第四の射出信号を生成し、
前記第一の駆動データおよび前記第三の射出信号に応答して、前記第一のノズル群に駆動パルスを印加するために、第二の液滴期間に対するスイッチロジックを制御する工程と、
前記第二の駆動データおよび前記第四の射出信号に応答して、前記第二のノズル群に駆動パルスを印加するために、前記第二の液滴期間に対するスイッチロジックを独立して制御する工程とをさらに含む方法。